(57)【要約】【課題】大判プリンタのようにインデックスプリントであっても、画像枠がＡ４等で印刷可能であれば、そのまま実用に耐える大きさの印刷が可能である画像処理装置用インデックスプリント作成装置を提供することを目的とする。【解決手段】画像を一覧することができるインデックスプリントを作成するためのインデックスプリント作成装置において、複数の画像ファイルを選択する画像ファイル選択手段と、インデックスプリント作成を指示する指示手段とを有する。また、インデックスプリント作成を指示することによって、インデックスプリントが実行されるときに、配置する画像枠の大きさを指定する画像枠の大きさ指定手段を有する。さらに、画像枠にフィットさせる複数の方法のうちで、１つの方法を選択する方法選択手段を有する画像処理装置用インデックスプリント作成装置である。【選択図】図２
2008205529.tif 000002
【特許請求の範囲】
【請求項１】
画像を一覧することができるインデックスプリントを作成するためのインデックスプリント作成装置において、
複数の画像ファイルを選択する画像ファイル選択手段と；
インデックスプリント作成を指示する指示手段と；
インデックスプリント作成を指示することによって、インデックスプリントが実行されるときに、配置する画像枠の大きさを指定する画像枠の大きさ指定手段と；
画像枠にフィットさせる複数の方法のうちで、１つの方法を選択する方法選択手段と；
を有することを特徴とする画像処理装置用インデックスプリント作成装置。
【請求項２】
画像を一覧することができるインデックスプリントを作成するためのインデックスプリント作成装置において、
複数の画像ファイルを選択する画像ファイル選択手段と；
インデックスプリント作成を指示する指示手段と；
インデックスプリント作成を指示することによって、インデックスプリントが実行されるときに、配置する画像枠の大きさを指定する画像枠の大きさ指定手段と；
画像枠にフィットさせる方法として指定された画像枠よりも実画像が大きいと、切り取りし、画像サイズを調整する画像サイズ調整手段と；
を有することを特徴とする画像処理装置用インデックスプリント作成装置。
【請求項３】
請求項２において、
上記画像サイズ調整手段は、画像枠に対して画像をセンタリングし、はみ出た部分を非表示にする方法か、４隅のいずれかを基準としてはみ出た部分を非表示にするかを選択可能である手段であることを特徴とする画像処理装置用インデックスプリント作成装置。
【請求項４】
請求項３において、
上記画像サイズ調整手段は、画像枠よりも実画像が小さい場合、拡大の処理を行わずに、そのままの大きさで配置する手段であることを特徴とする画像処理装置用インデックスプリント作成装置。
【請求項５】
画像を一覧することができるインデックスプリントを作成するためのインデックスプリント作成装置の制御方法において、
複数の画像ファイルが選択され、記憶装置に記憶する画像ファイル選択工程と；
インデックスプリント作成が指示され、記憶装置に記憶する指示工程と；
インデックスプリント作成が指示されることによって、インデックスプリントが実行されるときに、配置する画像枠の大きさが指定され、記憶装置に記憶する画像枠の大きさ指定工程と；
画像枠にフィットさせる複数の方法のうちで、１つの方法が選択され、記憶装置に記憶する方法選択工程と；
を有することを特徴とする画像処理装置用インデックスプリント作成装置の制御方法。
【請求項６】
画像を一覧することができるインデックスプリントを作成するためのインデックスプリント作成装置の制御方法において、
複数の画像ファイルが選択され、記憶装置に記憶する画像ファイル選択工程と；
インデックスプリント作成が指示され、記憶装置に記憶する指示工程と；
インデックスプリント作成が指示されることによって、インデックスプリントが実行されるときに、配置する画像枠の大きさが指定され、記憶装置に記憶する画像枠の大きさ指定工程と；
画像枠にフィットさせる方法として指定された画像枠よりも実画像が大きいと、切り取りし、画像サイズを調整する画像サイズ調整工程と；
を有することを特徴とする画像処理装置用インデックスプリント作成装置の制御方法。
【発明の詳細な説明】
【技術分野】
【０００１】
本発明は、画像を一覧できるインデックスプリントを作成するためのインデックスプリント作成装置に関する。
【背景技術】
【０００２】
従来のインデックスプリント作成装置として、印刷する画像の大きさや数、印刷用紙のサイズ等をユーザが決定すると、自動的にレイアウトが行われ、インデックスプリント用ページが作成できる装置が知られている（たとえば、特許文献１参照）。
【特許文献１】特開２０００−３３２９８５号公報
【発明の開示】
【発明が解決しようとする課題】
【０００３】
しかし、従来技術には、配置する画像の枠はユーザが任意に指定できるが、枠にフィットさせる方法をユーザが指定することができない。
【０００４】
したがって、上記従来例では、大判プリンタのようにインデックスプリントであっても、画像枠がＡ４等で印刷可能であれば、そのまま実用に耐える大きさの印刷が可能であるが、一律に拡大縮小されるので、実用的ではない印刷結果になるという問題がある。
【０００５】
本発明は、大判プリンタのようにインデックスプリントであっても、画像枠がＡ４等で印刷可能であれば、そのまま実用に耐える大きさの印刷が可能である画像処理装置用インデックスプリント作成装置を提供することを目的とする。
【課題を解決するための手段】
【０００６】
本発明は、画像を一覧することができるインデックスプリントを作成するためのインデックスプリント作成装置において、複数の画像ファイルを選択する画像ファイル選択手段と、インデックスプリント作成を指示する指示手段とを有する。また、本発明は、インデックスプリント作成を指示することによって、インデックスプリントが実行されるときに、配置する画像枠の大きさを指定する画像枠の大きさ指定手段を有する。さらに、本発明は、画像枠にフィットさせる複数の方法のうちで、１つの方法を選択する方法選択手段を有する画像処理装置用インデックスプリント作成装置である。
【発明の効果】
【０００７】
本発明によれば、大判プリンタのようにインデックスプリントであっても、画像枠がＡ４等で印刷可能であれば、そのまま実用に耐える大きさの印刷が可能であるという効果を奏する。
【発明を実施するための最良の形態】
【０００８】
発明を実施するための最良の形態は、次の実施例である。
【実施例１】
【０００９】
図１は、本発明の実施例１であるプリンタ１であって、インデックスプリント作成装置としてのプリンタ１が用いられる環境１００の一例を示す図である。
【００１０】
上記環境１００は、プリンタ１と、ＤＨＣＰ等のサーバ２と、ユーザＰＣ３、４と、それぞれのＰＣやプリンタをつなぐネットワーク５とが設けられている。
【００１１】
次に、実施例１の動作について説明する。
【００１２】
図２は、インデックスプリント作成装置としてのプリンタ１の動作を示すフローチャートである。
【００１３】
まず、Ｓ１で、対象ソフトウェアが起動する。このソフトウェアは、たとえば画像表示／印刷ソフト等であるが、これに限られない。ユーザが、Ｓ２で複数の画像を選択し、印刷する場合、インデックス印刷を選択したと判断する（Ｓ３）。
【００１４】
次に、インデックスプリント設定画面１０について説明する。
【００１５】
図３は、インデックスプリント設定画面１０を示す図である。
【００１６】
ユーザは、図３に示すインデックスプリント設定画面１０を介して、各種設定を行う。インデックスプリント設定画面１０は、コントロール部１１、１２と、表示欄１３、表示欄１４と、コントロール部１５とを有する。
【００１７】
コントロール部１１は、インデックスプリントを行う際に配置されるそれぞれの画像枠の大きさを設定する。コントロール部１２は、コントロール部１１で設定された画像枠に、元画像を納める場合に、画像枠にフィットさせる方法を選択する。表示欄１３、１４は、コントロール部１２を介して選択する処理方法を記載する。コントロール部１５は、コントロール部１２を介して表示欄１４が選ばれると、上記元画像の基準点を設定する。
【００１８】
ユーザは、Ｓ４で、図３に示すコントロール部１１を介して、画像枠の大きさを設定する。また、設定画面１０におけるでコントロール部１２を介して設定した画像枠に、画像をフィットさせる方法を、複数の方法から選択することができる（Ｓ５）。ここでは、例として、拡大縮小を行い、画像枠に合わせる方法（表示欄１３に表示されている方法）と、クリップを行って画像枠に合わせる方法（表示欄１４に表示されている方法）とのうちで、いずれかを選択する。
【００１９】
ここで、印刷用紙の大きさから、一列の配置数が決定され、自動的にレイアウトされる（Ｓ６）が、このレイアウト方法として、様々な方法が知られ、ここでは、説明を割愛する。
【００２０】
次に、画像枠へフィットさせる方法について述べる。
【００２１】
表示欄１３を選択した場合、画像枠の縦横のいずれかをフィットするように、拡大縮小される（Ｓ７）。
【００２２】
図４は、実施例１において、表示欄１３を選択した場合、画像枠の縦横のいずれかをフィットするように、拡大縮小した例を示す図である。
【００２３】
図４に示す例では、互いに異なる大きさを有する複数の画像によって構成されている画像群２１が選択され、インデックス印刷が実行された場合、画像枠にフィットするように拡大縮小された複数の画像によって構成されている画像群２２がレイアウトされる。
【００２４】
次に、図３において画像枠へのフィット方法として、コントロール部１２を介して、表示欄１４を選択した場合、さらにコントロール部１５のラジオボタンをクリックすることによって、クリップする基準点を選択する。ここでは、上記クリップする基準点として、「中央」が選ばれている場合について説明する。
【００２５】
ユーザが、インデックス印刷の画像枠を設定する方法は、上記のとおりである。ここで、元画像が、設定した画像枠よりも大きい場合、元画像の中央と画像枠の中央とを、一致させ、画像枠よりもはみ出た部分は、削除される（Ｓ７）。
【００２６】
図５は、実施例１において、元画像が、設定した画像枠よりも大きい場合、元画像中央と画像枠中央とを一致させ、画像枠よりもはみ出た部分を削除した場合を示す図である。
【００２７】
図５では、図４に示す例と同様に、インデックス印刷用に選択されている複数の画像によって構成されている画像群２１が表示されている。また、画像群３２には、上記画像枠中央を基準として、画像枠もよりはみ出た部分が削除されている。
【００２８】
さらに、この方法を選択した場合、画像枠よりも小さな画像３３は、拡大の処理を行わず、そのまま配置される。
【００２９】
次に、クリップの基準点として、左上が選択されている場合について説明する。クリップの基準点として、左上が選択されている場合、元画像左上と画像枠左上とを一致させ、はみ出た部分を削除する。
【００３０】
図６は、実施例１において、クリップの基準点として、左上が選択されている場合を示す図である。
【００３１】
図４に示す場合と同様に、インデックス印刷用に選択されている画像群２１が、表示されている。また、画像群４２を構成する各画像には、上記画像枠左上を基準として、画像枠からはみ出た部分が削除されている。また、この方法では、画像４３のように、画像枠よりも小さな画像は、拡大処理を行わず、そのまま配置する（Ｓ７）。
【００３２】
図４〜図６では、理解を容易にするために、画像枠を表示している。この状態で、ユーザが、プレビュー等でレイアウトや画像の配置／画質等を確認し、印刷すると、印刷データが作成され、プリンタにジョブが投入される（Ｓ８）。
【００３３】
上記実施例によれば、大判プリンタのようにインデックスプリントであっても、画像枠がＡ４等で印刷可能であれば、そのまま実用に耐える大きさの印刷が可能である。
【００３４】
また、上記実施例によれば、実際の画像の大きさも、実物を反映しないものであるが、画像のフィット方法として、拡大を行わずに、余剰領域を空白にするので、画質の劣化を防ぎ、また他の画像との大きさの比率も保たれる。
【００３５】
さらに、上記実施例によれば、画像がＡ４よりも大きい場合、センタリングを行い、Ａ４領域からはみ出た部分を印刷対象外とする方法を選択すれば、意図しない画像の劣化を防ぎ、他の画像との大きさの比率を保つことができる。
【００３６】
つまり、上記実施例は、画像を一覧することができるインデックスプリントを作成するためのインデックスプリント作成装置である。また、上記実施例は、複数の画像ファイルを選択する画像ファイル選択手段と、インデックスプリント作成を指示する指示手段とを有する。さらに、上記実施例は、インデックスプリント作成を指示することによって、インデックスプリントが実行されるときに、配置する画像枠の大きさを指定する画像枠の大きさ指定手段を有する。そして、上記実施例は、画像枠にフィットさせる複数の方法のうちで、１つの方法を選択する方法選択手段を有する画像処理装置用インデックスプリント作成装置である。
【００３７】
また、上記実施例は、複数の画像ファイルを選択する画像ファイル選択手段と、インデックスプリント作成を指示する指示手段とを有する。また、上記実施例は、インデックスプリント作成を指示することによって、インデックスプリントが実行されるときに、配置する画像枠の大きさを指定する画像枠の大きさ指定手段を有する。そして、上記実施例は、画像枠にフィットさせる方法として指定された画像枠よりも実画像が大きいと、切り取りし、画像サイズを調整する画像サイズ調整手段を有する。この場合、上記画像サイズ調整手段は、画像枠に対して画像をセンタリングし、はみ出た部分を非表示にする方法か、４隅のいずれかを基準としてはみ出た部分を非表示にするかを選択可能である手段である。また、上記画像サイズ調整手段は、画像枠よりも実画像が小さい場合、拡大の処理を行わずに、そのままの大きさで配置する手段である。
【００３８】
また、上記実施例を、方法の発明として把握することができる。つまり、上記実施例は、画像を一覧することができるインデックスプリントを作成するためのインデックスプリント作成装置の制御方法である。また、上記実施例は、複数の画像ファイルが選択され、記憶装置に記憶する画像ファイル選択工程と、インデックスプリント作成が指示され、記憶装置に記憶する指示工程とを有する。さらに、上記実施例は、インデックスプリント作成が指示されることによって、インデックスプリントが実行されるときに、配置する画像枠の大きさが指定され、記憶装置に記憶する画像枠の大きさ指定工程を有する。そして、上記実施例は、画像枠にフィットさせる複数の方法のうちで、１つの方法が選択され、記憶装置に記憶する方法選択工程を有する画像処理装置用インデックスプリント作成装置の制御方法である。
【００３９】
また、上記実施例は、複数の画像ファイルが選択され、記憶装置に記憶する画像ファイル選択工程と、インデックスプリント作成が指示され、記憶装置に記憶する指示工程とを有する。また、上記実施例は、インデックスプリント作成が指示されることによって、インデックスプリントが実行されるときに、配置する画像枠の大きさが指定され、記憶装置に記憶する画像枠の大きさ指定工程を有する。そして、上記実施例は、画像枠にフィットさせる方法として指定された画像枠よりも実画像が大きいと、切り取りし、画像サイズを調整する画像サイズ調整工程を有する画像処理装置用インデックスプリント作成装置の制御方法である。
【図面の簡単な説明】
【００４０】
【図１】本発明の実施例１であるプリンタ１であって、インデックスプリント作成装置としてのプリンタ１が用いられる環境１００の一例を示す図である。
【図２】インデックスプリント作成装置としてのプリンタ１の動作を示すフローチャートである。
【図３】インデックスプリント設定画面１０を示す図である。
【図４】実施例１において、表示欄１３を選択した場合、画像枠の縦横のいずれかをフィットするように、拡大縮小した例を示す図である。
【図５】実施例１において、元画像が、設定した画像枠よりも大きい場合、元画像中央と画像枠中央とを一致させ、画像枠よりもはみ出た部分を削除した場合を示す図である。
【図６】実施例１において、クリップの基準点として、左上が選択されている場合を示す図である。
【符号の説明】
【００４１】
１００…環境、
１…プリンタ、
２…ＤＨＣＰサーバ、
３、４…ユーザＰＣ、
５…ネットワーク、
１１…画像枠設定コントロール部、
１２…画像枠へのフィット法選択コントロール部、
１３…コントロール部１２で選択できる表示欄、
１４…コントロール部１２で選択できる表示欄、
１５…クリップ基準点を選択するコントロール部、
２１、２２、３２、４２…画像群。
【図１】
2008205529.tif 000003
【図２】
2008205529.tif 000004
【図３】
2008205529.tif 000005
【図４】
2008205529.tif 000006
【図５】
2008205529.tif 000007
【図６】
2008205529.tif 000008